(57)【要約】【課題】  湯水を活性化させる鉱石類と半身浴に用いる腰掛けとを一体化して、半身浴の際に安定した姿勢を長時間保つと同時に入浴効果を高める温浴器付半身浴用腰掛けを提供する。【解決手段】  平板部３とその両側の足部４とから側面視略倒Ｕ字状に形成される腰掛け部１と、当該腰掛け部１の平板部３の裏面側に鉱石等の活性素材５及びフェライト磁石板６を収納した温浴活性器２を一体的に形成してなるものである。【選択図】図１
0003131569.tif 000002
【実用新案登録請求の範囲】
【請求項１】
平板部とその両側の足部とから側面視略倒Ｕ字状に形成される腰掛け部と、当該腰掛け部の平板部の裏面に活性素材を内蔵した温浴活性器を設けてなることを特徴とする温浴器付半身浴用腰掛け。
【請求項２】
前記腰掛け部をヒノキ等の木材とし、温浴活性器をステンレス等の金属製とする請求項１記載の温浴器付半身浴用腰掛け。
【請求項３】
前記活性素材を、トルマリン、ゼオライト、麦飯石、医王石等のバイオセラミック、ラジウム、ゲルマニウム等の機能活性素材、銀添セラミックス等の除菌素材及び遠赤外線を放射するセラミック等から選択される少なくとも２種以上の活性素材を用いることを特徴とする請求項１及び２のいずれかに記載の温浴器付半身浴用腰掛け。
【請求項４】
前記活性素材に磁力作用を有するフェライト磁石を併用してなる請求項３記載の温浴器付半身浴用腰掛け。
【考案の詳細な説明】
【技術分野】
【０００１】  本考案は浴槽内に載置して半身浴に使用される温浴器付半身浴用腰掛けに関するものである。
【背景技術】
【０００２】  入浴にあたり、ぬるま湯にして上半身をバスタブより上に露呈して入浴する半身浴が、身体に良好な効果を与える入浴法として知られている。【０００３】  また、バスタブのお湯には、粉状の入浴剤以外各種鉱石類の粒状体や塊状体を袋や箱に入れてお湯を活性化させることも知られている。
【考案の開示】
【考案が解決しようとする課題】
【０００４】  上記の如く、従来とくに家庭の浴槽で半身浴を行う場合、しゃがんだ姿勢を取るため比較的長時間の半身浴には無理があったり、また洗い場等で使うプラスチック製または木製の腰掛を浴槽の中に沈めて使用したりすると、お湯の浮力で不用意に浮き上がったりして不安定になることがあった。【０００５】  また、お湯を活性化して入浴効果を高める鉱石類を入れた容器をお湯の中に入れると、狭い浴槽の場合身体の一部、とくに足が当たったりして邪魔になることがあった。【０００６】  本考案は、湯水を活性化させる鉱石類と半身浴に用いる腰掛けとを一体化して、半身浴の際に安定した姿勢を長時間保つと同時に入浴効果を高める温浴器付半身浴用腰掛けを提供するものである。
【課題を解決するための手段】
【０００７】  本考案に係る温浴器付半身浴用腰掛けは、平板部とその両側の足部とから側面視略倒Ｕ字状に形成される腰掛け部と、当該腰掛け部の平板部の裏面側に鉱石等の活性素材を内蔵した温浴活性器を設けてなることを特徴とするものである。【０００８】  また、腰掛け主体部をヒノキ等の木材とし、鉱石等の活性素材を内臓する温浴活性器をステンレス等の金属製として、その周面に複数の透孔を設けてなることを特徴とするものである。【０００９】  さらに、前記活性素材を、トルマリン、ゼオライト、麦飯石、医王石等のバイオセラミック、ラジウム、ゲルマニウム等の機能活性素材、銀添セラミックス等の除菌素材及び遠赤外線を放射するセラミック等から選択される少なくとも２種以上用いることを特徴とするものである。【００１０】  さらに、前記活性素材に磁力作用を有するフェライト磁石を併用してなることを特徴とするものである。
【考案の効果】
【００１１】  本考案に係る温浴器付半身浴用腰掛けによれば、腰掛け部と鉱石等の活性素材を収納した温浴活性器を一体化することにより、温浴活性器に収納される活性素材の重量により、人体と直接接触しても違和感のない木材やプラスチック等の軽量な材料を用いても、不用意に浮き上がったり、動いたりすることがなく湯水の中で安定した状態で載置され、楽な姿勢で長時間の半身浴に供することができる。【００１２】  さらに、活性素材を内蔵した温浴活性器を一体的に備えた腰掛けを、浴槽内を自由に移動させて任意の位置に載置したり、容易に取り出して浴槽外で清掃したりすることができ、その操作性に優れている。【００１３】  さらに、温浴活性器に、トルマリン、ゼオライト、麦飯石、医王石等のバイオセラミック、ラジウム、ゲルマニウム等の機能活性素材、銀添セラミックス等の除菌性素材および遠赤外線を放射するセラミックス等から選択される少なくとも２種以上の活性素材を、粉体、粒状体や適宜な大きさの塊状体等の素材の特性を生かした様々の形状を有するものを併用することにより、体質の異なる身体に幅広く効果的な湯質を得ることができる。【００１４】  さらに、磁力性をもつ板状のフェライト磁石を併用することにより、この磁力作用により、同時的に使用される他の活性素材のさらなる活性化を促すと共に、腰掛け部の重量を安定的に保持することができる。
【考案を実施するための最良の手段】
【００１５】  図１は、本考案に係る温浴器付半身浴用腰掛けを示す断面図、図２は同じくその底面図、図３は温浴活性器に内蔵される各種素材を示すもので、（イ）は活性素材を（ロ）はフェライト磁石を示す略示図、図４は使用状態を示す略示図である。
【００１６】  本考案に係る温浴器付半身浴用腰掛けは、図１に示すように、平板部３とその両側の足部４とから側面視略倒Ｕ字状に形成される腰掛け部１と、当該腰掛け部１の平板部３の裏面側に鉱石等の活性素材５及びフェライト磁石板６を内蔵した温浴活性器２を一体的に形成してなるものである。
【００１７】  側面視略倒Ｕ字状に形成される腰掛け部１は、主としてヒノキ等の木材を用いて成形され、平滑状の平板部３とその両側にやや外傾する足部４を一体的に組み合わせてなるものであるが、木材以外の硬質性プラスチックやステンレス等金属を用いるものであってもよい。
【００１８】  腰掛け部１の平板部３の裏面に取付けられる温浴活性器２は、図１及び図２に示すように、ステンレス材のように剛性及び防錆性に優れた材料を使用して箱状の立方体の容器７の長さ方向に取付け用の鍔８を設けてビス等の止着子９により腰掛け部１の平板部３の裏面に固定される。
【００１９】  また、この容器７の周面には、複数の透孔１０が数多く穿設されて、この容器７内に内蔵される活性素材５及びフェライト磁石板６等に湯水２０が浸透して浴槽２１内に循環させるためのものである。
【００２０】  また、この容器７に内蔵される活性素材５及びフェライト磁石板６は、図１及び図３に示すように、トルマリン、ゼオライト、麦飯石、医王石等のバイオセラミック、ラジウム、ゲルマニウム等の機能活性素材、銀添セラミックス等の除菌性素材および遠赤外線を放射するセラミック等から選択される少なくとも２種以上の活性素材５を、ボール状、塊状、粉状あるいはチップ状等、その素材の特性を生かした様々の形状を有して、透水性、通水性に優れた布製等の袋１１に詰めて容器７に内蔵され、また、フェライト磁石板６は板状体として容器７の内壁面又は底面に敷設されている。
【００２１】  活性素材５及びフェライト磁石板６を容器７内に収納内蔵したり、また取り出して洗浄したり、交換したりするために、図２に示すように、容器７の底面には蓋１２がプラスチック製またはステンレス製ネジ１３により固定され、容易に開閉できるようにされている。
【００２２】  半身入浴に使用する際には、図４に示すように、２種以上の活性素材５及びフェライト磁石板６を内蔵した温浴活性器２を一体的に設けて湯水の浮力に抗することができる重量を備えた腰掛け部１を湯水２０を満たした浴槽２１の底面に載置して、入浴者２２が浴槽２１内で腰掛けて半身浴に供するものである。
【図面の簡単な説明】
【００２３】
【図１】  本考案に係る温浴活性器付腰掛けを示す断面図である。
【図２】  取付け状態を示す底面図である。
【図３】  温浴活性器に内蔵される各種素材を示すもので、（イ）は活性素材を（ロ）はフェライト磁石を示す略示図
【図４】  使用状態を示す略示図である。
【符号の説明】
【００２４】１    腰掛け部
２    温浴活性器
３    腰掛け部１の平板部
４    腰掛け部１の足部
５    活性素材
６    フェライト磁石板
７    温浴活性器２の容器
８    容器７の鍔
９    止着子
１０  容器７の透孔
１１  袋
１２  容器７の蓋
１３  蓋固定用ネジ
２０  湯水
２１  浴槽
２２  入浴者
【図１】
0003131569.tif 000003
【図２】
0003131569.tif 000004
【図３】
0003131569.tif 000005
【図４】
0003131569.tif 000006